Podtech/llm-jp-corpus-v4-ja_patent huggingface dataset:
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
画像を表示する表示領域と、前記表示領域の外側に位置する第１額縁領域と、前記第１額縁領域の前記表示領域とは反対の側に位置する第２額縁領域とが設けられた基板と、
前記表示領域に設けられ、複数の金属配線を有する複数の検出電極と、
前記複数の検出電極と接続し、複数の第１額縁配線と複数の第２額縁配線とを含む複数の額縁配線と、を有し、
前記表示領域と前記第１額縁領域と前記第２額縁領域とは、第１方向に並び、
前記複数の第１額縁配線の少なくとも１本は、複数の屈曲部を有し、前記第１額縁領域を前記第１方向と交差する第２方向に延在し、
前記複数の第２額縁配線は、前記第２額縁領域を前記第２方向に延在し、
前記複数の屈曲部は、前記表示領域の側へ突出し、前記第２方向に第１ピッチで配列する複数の第１屈曲部を含み、
前記複数の金属配線は、前記第２方向に第２ピッチで配列し、
前記第１ピッチは前記第２ピッチよりも小さい、
タッチ検出装置。
【請求項２】
前記複数の屈曲部は、前記第２額縁領域の側へ突出し、前記第２方向に配列する複数の第２屈曲部を含む請求項１に記載のタッチ検出装置。
【請求項３】
前記複数の第１額縁配線は、前記第１額縁領域に第１密度で配置され、
前記複数の第２額縁配線は、前記第２額縁領域に第２密度で配置され、
前記第１密度は、前記第２密度よりも小さい請求項１又は請求項２に記載のタッチ検出装置。
【請求項４】
前記複数の第１額縁配線は、前記第１額縁領域に第１密度で配置され、
前記複数の金属配線は、前記表示領域に第３密度で配置され、
前記第１密度は、前記第３密度よりも大きい請求項１から請求項３の何れか１項に記載のタッチ検出装置。
【請求項５】
前記複数の金属配線は、第３方向に延在する複数の第１金属配線と、前記第３方向と交差する第４方向に延在する複数の第２金属配線と、複数の交差部とを含み、
前記複数の交差部の各々は、前記複数の第１金属配線の内の１本と前記複数の第２金属配線の内の１本とが交差する部分であり、
前記複数の交差部の一部は、前記第２方向に第３ピッチで配列し、
前記第１ピッチは、前記第３ピッチよりも小さい請求項１から請求項４の何れか１項に記載のタッチ検出装置。
【請求項６】
前記第３ピッチは、前記第１ピッチの自然数倍である請求項５に記載のタッチ検出装置。
【請求項７】
前記第１方向における前記第１額縁領域の長さが、前記基板の厚さの１／２以上である請求項１から請求項６の何れか１項に記載のタッチ検出装置。
【請求項８】
前記複数の第１額縁配線の間隔が、前記複数の第２額縁配線の間隔よりも大きい請求項１から請求項７の何れか１項に記載のタッチ検出装置。
【請求項９】
前記第１方向における前記複数の第１額縁配線の幅は、前記第１方向における前記複数の第２額縁配線の幅よりも小さい請求項１から請求項８の何れか１項に記載のタッチ検出装置。
【請求項１０】
前記複数の第１屈曲部は、前記金属配線と直に接する複数の第３屈曲部と、前記金属配線と直に接しない複数の第４屈曲部とを含み、
前記第４屈曲部は、隣接する前記第３屈曲部の間に位置する請求項１から請求項９の何れか１項に記載のタッチ検出装置。
【請求項１１】
前記複数の額縁配線は、表示領域に位置する第３額縁配線を少なくとも１本含む請求項１から請求項９の何れか１項に記載のタッチ検出装置。
【請求項１２】
前記第３額縁配線は、前記複数の金属配線の側へ突出する複数の第３屈曲部を有し、
前記複数の金属配線によって形成される形状の内、前記第３額縁配線と対向する部分は、前記第３額縁配線の側へ突出する複数の第４屈曲部を有し、
前記複数の第３屈曲部のピッチと前記複数の第４屈曲部のピッチとが等しい請求項１１に記載のタッチ検出装置。
【請求項１３】
前記表示領域には、前記検出電極と離隔し且つ前記検出電極に囲まれたダミー電極が位置する請求項１から請求項１２の何れか１項に記載のタッチ検出装置。
【請求項１４】
さらに、カバー基材と、前記カバー基材の外周に設けられた着色層とを含むカバー部材を有し、
前記着色層は、前記第２額縁配線の少なくとも１本と平面視で重畳する請求項１から請求項１３の何れか１項に記載のタッチ検出装置。
【請求項１５】
前記着色層は、前記複数の第１額縁配線と平面視で重畳しない請求項１４に記載のタッチ検出装置。
【請求項１６】
画像を表示する表示領域と、前記表示領域の外側に位置する第１額縁領域と、前記第１額縁領域の前記表示領域とは反対の側に位置する第２額縁領域とが設けられた基板と、
前記表示領域に設けられた複数の検出電極と、
前記複数の検出電極と接続し、複数の第１額縁配線と複数の第２額縁配線とを含む複数の額縁配線と、を有し、
前記表示領域と前記第１額縁領域と前記第２額縁領域とは、第１方向に並び、
前記複数の第１額縁配線の少なくとも１本は、複数の屈曲部を有し、前記第１額縁領域を前記第１方向と交差する第２方向に延在し、
前記複数の第２額縁配線は、前記第２額縁領域を前記第２方向に延在し、
前記複数の屈曲部は、前記表示領域の側へ突出し、前記第２方向に第１ピッチで配列する複数の第１突出部を含み、
前記複数の検出電極は、前記第１額縁領域の側へ突出し、前記第２方向に第２ピッチで配列する複数の第２突出部を含み、
前記第１ピッチは前記第２ピッチよりも小さい、タッチ検出装置。
【請求項１７】
前記複数の第１額縁配線は、前記第１額縁領域に第１密度で配置され、
前記複数の検出電極の各々は、第２密度で配置されたメッシュ形状を有し、
前記第１密度は、前記第２密度よりも大きい請求項１６に記載のタッチ検出装置。
【請求項１８】
前記第２ピッチは、前記第１ピッチの自然数倍である請求項１６又は請求項１７に記載のタッチ検出装置。
【請求項１９】
請求項１から請求項１８の何れか１項に記載のタッチ検出装置と、
複数の画素と、複数の走査信号線と、複数の画素信号線と、を有するタッチ検出機能付き表示装置。
【手続補正書】
【提出日】平成30年2月28日(2018.2.28)
【手続補正１】
【補正対象書類名】特許請求の範囲
【補正対象項目名】請求項９
【補正方法】変更
【補正の内容】
【請求項９】
前記演算装置は、
前記各不整合ごとの変更案に関して、予め定めた所定事項への影響度合いを所定アルゴリズムで算定し、当該影響度合いの情報を前記変更案とともに、所定装置に出力する処理を更に実行するものである、
ことを特徴とする請求項８に記載の資源運用計画支援装置。
【手続補正２】
【補正対象書類名】特許請求の範囲
【補正対象項目名】請求項１９
【補正方法】変更
【補正の内容】
【請求項１９】
前記情報処理装置が、
前記各不整合ごとの変更案に関して、予め定めた所定事項への影響度合いを所定アルゴリズムで算定し、当該影響度合いの情報を前記変更案とともに、所定装置に出力する処理を更に実行する、
ことを特徴とする請求項１８に記載の資源運用計画支援方法。
【手続補正３】
【補正対象書類名】明細書
【補正対象項目名】０１７３
【補正方法】変更
【補正の内容】
【０１７３】
また、本実施形態の資源運用計画支援装置において、前記演算装置は、前記各不整合ごとの変更案に関して、予め定めた所定事項への影響度合いを所定アルゴリズムで算定し、当該影響度合いの情報を前記変更案とともに、所定装置に出力する処理を更に実行するものである、としてもよい。
【手続補正４】
【補正対象書類名】明細書
【補正対象項目名】０１８６
【補正方法】変更
【補正の内容】
【０１８６】
また、本実施形態の資源運用計画支援方法において、前記情報処理装置が、前記各不整合ごとの変更案に関して、予め定めた所定事項への影響度合いを所定アルゴリズムで算定し、当該影響度合いの情報を前記変更案とともに、所定装置に出力する処理を更に実行する、としてもよい。
【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
ユーザーが選択した参照画像に近づけるためのメイクを補助するメイクアップ補助システムであって、
ユーザー画像をリアルタイムで取得する画像取得手段と、
前記参照画像に含まれる顔パーツに関連する要素情報、及び前記画像取得手段により取得されたユーザー画像に含まれる顔パーツに関連する要素情報を検出する検出手段と、
前記参照画像に含まれる顔パーツに関連する要素情報に基づいてユーザーのメイクを補助するためのメイク参照レイヤーを生成し、前記検出手段により検出されたユーザー画像に含まれる顔パーツに関連する要素情報に基づいて当該メイク参照レイヤーと前記画像取得手段により取得されるリアルタイムのユーザー画像との位置を一定に合わせるための位置合わせレイヤーを生成するレイヤー生成手段と、
前記画像取得手段により取得されるリアルタイムのユーザー画像に、前記メイク参照レイヤー及び／又は前記位置合わせレイヤーを重ねて表示する表示手段と、
を備えるメイクアップ補助システム。
【請求項２】
前記レイヤー生成手段は、前記画像取得手段により予め取得されたユーザー画像に含まれる顔パーツに関連する要素情報、又は前記画像取得手段により取得されるリアルタイムのユーザー画像に含まれる顔パーツに関連する要素情報に基づいて前記位置合わせレイヤーを生成する請求項１に記載のメイクアップ補助システム。
【請求項３】
前記レイヤー生成手段は、前記画像取得手段により取得されるリアルタイムのユーザー画像に含まれる顔パーツに関連する要素情報に基づいて前記位置合わせレイヤーを生成したとき、当該位置合わせレイヤーに対応する最新のメイク参照レイヤーを生成する請求項２に記載のメイクアップ補助システム。
【請求項４】
前記レイヤー生成手段は、前記ユーザー画像の透過像、前記ユーザー画像に含まれる顔パーツの輪郭を抽出したもの、又はこれらを加工したものを前記位置合わせレイヤーとして生成する請求項１〜３の何れか一項に記載のメイクアップ補助システム。
【請求項５】
前記レイヤー生成手段は、複数の参照画像から抽出された顔パーツに関連する要素情報を組み合わせて前記メイク参照レイヤーを生成する請求項１〜４の何れか一項に記載のメイクアップ補助システム。
【請求項６】
前記レイヤー生成手段は、前記参照画像に含まれる顔パーツに関連する要素情報に基づいてユーザーが選択する顔パーツに対応した前記メイク参照レイヤーを部分的に生成する請求項１〜５の何れか一項に記載のメイクアップ補助システム。
【請求項７】
前記レイヤー生成手段は、前記検出手段により検出された前記参照画像に含まれる顔パーツ、又は当該顔パーツの輪郭を抽出したものを前記メイク参照レイヤーとして生成する請求項１〜６の何れか一項に記載のメイクアップ補助システム。
【請求項８】
前記レイヤー生成手段は、前記検出手段により検出された前記参照画像に含まれる顔パーツの位置、形状、光沢、及び色彩の少なくとも一つを調整して、前記メイク参照レイヤーを生成する請求項１〜７の何れか一項に記載のメイクアップ補助システム。
【請求項９】
前記レイヤー生成手段は、前記検出手段により検出された前記参照画像に含まれる顔パーツの位置を、前記検出手段により検出されたユーザー画像に含まれる顔パーツの位置に合わせて調整して、前記メイク参照レイヤーを生成する請求項８に記載のメイクアップ補助システム。
【請求項１０】
前記レイヤー生成手段は、前記検出手段により検出された前記参照画像に含まれる顔パーツに関連する要素情報に基づいて前記画像取得手段によりユーザー画像を取得する際に前記参照画像と前記画像取得手段により取得されるリアルタイムのユーザー画像との位置を一定に合わせるための画像取得レイヤーをさらに生成する請求項１〜９の何れか一項に記載のメイクアップ補助システム。
【請求項１１】
前記画像取得レイヤーは、前記検出手段により検出された前記参照画像に含まれる顔パーツの位置を示すマーク、又は複数の前記マーク及び複数の前記マークを結んだ線分を前記画像取得レイヤーとして生成する請求項１０に記載のメイクアップ補助システム。
【請求項１２】
前記表示手段はさらに、前記画像取得手段によるリアルタイムのユーザー画像の取得時に、前記画像取得レイヤーを表示する請求項１０又は１１に記載のメイクアップ補助システム。
【請求項１３】
前記参照画像と前記画像取得手段により取得されるリアルタイムのユーザー画像との差異に基づいて前記参照画像へのメイクの到達度を判定する判定手段をさらに備える請求項１〜１２の何れか一項に記載のメイクアップ補助システム。
【請求項１４】
前記参照画像と前記画像取得手段により取得されるリアルタイムのユーザー画像との差異に基づいてアドバイス又は警告を発する発報手段をさらに備える請求項１〜１３の何れか一項に記載のメイクアップ補助システム。
【請求項１５】
前記発報手段は、前記画像取得手段により取得されるリアルタイムのユーザー画像に含まれる顔パーツに関連する位置座標と前記位置合わせレイヤーに含まれる顔パーツに関連する位置座標との差が所定の閾値を超えた場合に警告を発する請求項１４に記載のメイクアップ補助システム。
【請求項１６】
前記表示手段は、前記判定手段による判定結果及び／又は前記発報手段による発報情報を表示する請求項１４又は１５に記載のメイクアップ補助システム。
【請求項１７】
前記表示手段は、前記画像取得手段により取得されるリアルタイムのユーザー画像に、前記位置合わせレイヤーと前記メイク参照レイヤーとを交互に重ねて表示する請求項１〜１６の何れか一項に記載のメイクアップ補助システム。
【請求項１８】
ユーザーが選択した参照画像に近づけるためのメイクを補助するメイクアップ補助方法であって、
ユーザー画像をリアルタイムで取得する画像取得ステップと、
前記参照画像に含まれる顔パーツ、及び前記画像取得ステップにおいて取得されたユーザー画像に含まれる顔パーツを検出する検出ステップと、
前記参照画像に含まれる顔パーツに関連する要素情報に基づいてユーザーのメイクを補助するためのメイク参照レイヤーを生成し、前記検出ステップにおいて検出されたユーザー画像に含まれる顔パーツに関連する要素情報に基づいて当該メイク参照レイヤーと前記画像取得ステップにおいてリアルタイムで取得されるユーザー画像との位置を一定に合わせるための位置合わせレイヤーを生成するレイヤー生成ステップと、
前記画像取得ステップにおいてリアルタイムで取得されるユーザー画像に、前記メイク参照レイヤー及び／又は前記位置合わせレイヤーを重ねて表示する表示ステップと、
を包含するメイクアップ補助方法。
【請求項１９】
前記メイク参照レイヤーを前記ユーザー画像に重ねて表示したものに基づいて前記メイク参照レイヤーの位置、形状、光沢、及び色彩の少なくとも一つを調整する調整ステップをさらに包含する請求項１８に記載のメイクアップ補助方法。
【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
被当接部材の表面に先端稜線部であるエッジ部を当接させる、弾性材料からなるブレード部材であって、
前記エッジ部の延伸方向に直交する直交断面が、物性が互いに異なる、前記エッジ部を含むエッジ領域と、前記エッジ部を含まず前記被当接部材に当接しない非当接領域とからなり、
次の式１で定義される換算弾性仕事率の値Ｘが、５７［％］以上、９０［％］以下であることを特徴とするブレード部材。
【数１】
2017097156.tif 000001
Ｘ：換算弾性仕事率［％］
Ｓ＿「Ａ」＿：直交断面におけるエッジ領域の断面積［ｍｍ＾「２」＾］
Ｓ＿「Ｂ」＿：直交断面における非当接領域の断面積［ｍｍ＾「２」＾］
ｅ＿「Ａ」＿：エッジ領域の弾性仕事率［％］
ｅ＿「Ｂ」＿：非当接領域の弾性仕事率［％］
ｔ：エッジ領域厚さ［ｍｍ］
ここで、エッジ領域厚さ：ｔとは、直交断面における被当接部材に対向するエッジ領域６の２つの外辺部の内、長い方の外辺部に直交する方向の厚さである。
【請求項２】
請求項１に記載のブレード部材において、
前記エッジ領域のマルテンス硬度：ｈ＿「Ａ」＿が１．５［Ｎ／ｍｍ＾「２」＾］以上であることを特徴とするブレード部材。
【請求項３】
請求項１に記載のブレード部材において、
前記エッジ領域のマルテンス硬度：ｈ＿「Ａ」＿が前記非当接領域のマルテンス硬度：ｈ＿「Ｂ」＿よりも大きいことを特徴とするブレード部材。
【請求項４】
請求項１に記載のブレード部材において、
前記エッジ領域の弾性仕事率：ｅ＿「Ａ」＿が５０［％］以上であることを特徴とするブレード部材。
【請求項５】
請求項１に記載のブレード部材において、
非当接領域の弾性仕事率：ｅ＿「Ｂ」＿が６０［％］以上であることを特徴とするブレード部材。
【請求項６】
請求項１乃至３のいずれか一に記載のブレード部材において、
前記直交断面における当該ブレード部材の形状タイプは、前記エッジ領域が当該ブレード部材を支持する支持部材が接する部分を除く外周面に沿った形状をし、エッジ部と、エッジ部に隣接する角部近傍の、エッジ領域と非当接領域との境界線は弧を描き、非当接領域側の角部が面取りされたような形状したタイプ１であり、
前記タイプ１の前記エッジ領域厚さ：ｔは、前記被当接部材に対向する長辺の角部から離れた部分に直交する方向のエッジ領域の厚さであり、その厚さが０．０５［ｍｍ］以上０．２０［ｍｍ］以下であることを特徴とするブレード部材。
【請求項７】
請求項１乃至３のいずれか一に記載のブレード部材において、
前記直交断面における当該ブレード部材の形状タイプは、当該ブレード部材の長辺に平行な境界で前記エッジ領域と前記非当接領域とが区分されている形状をしたタイプ２であり、
前記タイプ２の前記エッジ領域長辺部厚さ：ｔが、０．０５［ｍｍ］以上０．５０［ｍｍ］以下であることを特徴とするブレード部材。
【請求項８】
請求項１乃至３のいずれか一に記載のブレード部材において、
前記直交断面における当該ブレード部材の形状タイプが、
前記エッジ領域と前記非当接領域との境界が、当該ブレード部材の前記エッジ部を含む短辺の中央に直交する対称線で線対称に形成され、
前記対称線から離れた当該ブレード部材の長辺に近い曲線部だけ、前記エッジ領域の長辺方向の厚さが長辺に近づく程、厚くなり、この部分よりも前記対称線に近い部分は、前記エッジ領域の長辺方向の厚さが略一定な直線部として形成されている形状のタイプ３であり、
前記タイプ３の前記エッジ領域厚さ：ｔは、前記直線部の長辺方向のエッジ領域の厚さであり、その厚さが０．０５［ｍｍ］以上０．２０［ｍｍ］以下であることを特徴とするブレード部材。
【請求項９】
請求項１乃至３のいずれか一に記載のブレード部材において、
前記直交断面における当該ブレード部材の形状タイプは、前記エッジ領域と前記非当接領域との境界が、前記エッジ部を一端とする２つの辺上の点を直線状に結ぶ線分であり、前記エッジ領域が直角三角形の形状をしたタイプ４であり、前記タイプ２の前記エッジ領域厚さ：ｔが、０．０５［ｍｍ］以上０．５０［ｍｍ］以下であることを特徴とするブレード部材。
【請求項１０】
弾性材料からなるブレード部材の先端稜線部であるエッジ部を、像担持体の表面に当接させてクリーニングするクリーニング手段を備えた画像形成装置において、
前記クリーニング手段として、請求項１乃至９のいずれか一に記載のブレード部材を有したクリーニング手段を備えることを特徴とする画像形成装置。
【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
像担持体にトナー像を形成する像形成手段と、前記像担持体上のトナー像を記録シートに転写する転写手段と、前記像担持体上のトナー像の画像濃度を検知する画像濃度検知手段とを備え、前記像担持体の表面に形成した濃淡パターン像における複数の被検部の画像濃度を前記画像濃度検知手段によって検知する画像形成装置において、
前記濃淡パターン像として、前記像担持体の表面上で表面移動方向に占める長さよりも、前記表面移動方向と直交する方向である幅方向に占める長さを大きくしたものを形成し、
且つ、前記画像濃度検知手段として、前記表面移動方向に占める長さよりも、前記幅方向に占める長さを大きくする姿勢で配設されたラインセンサーを用いることを特徴とする画像形成装置。
【請求項２】
請求項１の画像形成装置であって、
前記濃淡パターン像として、互いに画像濃度の異なる複数の被検部をパターン像長手方向に沿って並べつつ、互いに隣り合う被検部間に所定の間隔を設けたものを形成することを特徴とする画像形成装置。
【請求項３】
請求項２の画像形成装置であって、
複数の前記被検部のそれぞれとして、被検部並び方向における大きさを外郭からのエッジ効果領域の大きさの二倍よりも大きくしたものを形成することを特徴とする画像形成装置。
【請求項４】
請求項１乃至３の何れかの画像形成装置であって、
互いに画像濃度の異なる複数の被検部を具備する前記濃淡パターン像として、互いに画像濃度の異なる複数の被検部をパターン像長手方向に沿って並べつつ、互いに異なる複数の画像濃度のそれぞれについて複数の前記被検部を具備するものを形成することを特徴とする画像形成装置。
【請求項５】
請求項４の画像形成装置であって、
前記濃淡パターン像として、同じ画像濃度の前記被検部を前記像担持体の表面における前記幅方向の一端部、中央部、他端部のそれぞれに設けたものを形成することを特徴とする画像形成装置。
【請求項６】
請求項１乃至３の何れかの画像形成装置であって、
前記像形成手段として、互いに異なる複数の一次色の画像を形成するものを用い、
前記濃淡パターン像として、互いに同程度の画像濃度にする画像形成条件で形成した互いに異なる一次色の複数の前記被検部からなる同濃度一次色組を複数設けたものを形成することを特徴とする画像形成装置。
【請求項７】
請求項６の画像形成装置であって、
前記濃淡パターン像として、複数の前記同濃度一次色組を前記像担持体の表面における前記幅方向の一端側から他端側に向けて画像濃度の昇順又は降順に並べたものを形成することを特徴とする画像形成装置。
【請求項８】
請求項７の画像形成装置であって、
複数の前記同濃度一次色組を前記一端側から前記他端側に向けて画像濃度の昇順に並べた前記濃淡パターン像と、複数の前記同濃度一次色組を前記一端側から前記他端側に向けて画像濃度の降順に並べた前記濃淡パターン像とを、前記像担持体の表面移動方向に並べて形成することを特徴とする画像形成装置。
【請求項９】
請求項６の画像形成装置であって、
前記濃淡パターン像として、複数の前記同濃度一次色組を前記像担持体の表面における表面移動方向と直交する方向の両端側から中央に向けて画像濃度の昇順又は降順に並べたものを形成することを特徴とする画像形成装置。
【請求項１０】
請求項９の画像形成装置であって、
複数の前記同濃度一次色組を前記両端側から中央に向けて画像濃度の昇順に並べた前記濃淡パターン像と、複数の前記同濃度一次色組を前記両端側から中央に向けて画像濃度の降順に並べた前記濃淡パターン像とを、前記像担持体の表面移動方向に並べて形成することを特徴とする画像形成装置。
【手続補正２】
【補正対象書類名】明細書
【補正対象項目名】０００５
【補正方法】変更
【補正の内容】
【０００５】
上述した課題を解決するために、本発明は、像担持体にトナー像を形成する像形成手段と、前記像担持体上のトナー像を記録シートに転写する転写手段と、前記像担持体上のトナー像の画像濃度を検知する画像濃度検知手段とを備え、前記像担持体の表面に形成した濃淡パターン像における複数の被検部の画像濃度を前記画像濃度検知手段によって検知する画像形成装置において、前記濃淡パターン像として、前記像担持体の表面上で表面移動方向に占める長さよりも、前記表面移動方向と直交する方向である幅方向に占める長さを大きくしたものを形成し、且つ、前記画像濃度検知手段として、前記表面移動方向に占める長さよりも、前記幅方向に占める長さを大きくする姿勢で配設されたラインセンサーを用いることを特徴とするものである。
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
複数の発光点を有する光源と、
前記光源からの光束を偏向して被走査面を主走査方向に走査する偏向器と、
前記光源からの光束を前記偏向器に入射させる入射光学系と、
前記偏向器によって偏向された光束を前記被走査面に導光する結像光学系と
を備え、
前記入射光学系は、光束を主走査方向において制限する主走査絞りと、該主走査絞りとは異なる位置に配置され、光束を副走査方向において制限する副走査絞りとを有し、
前記複数の発光点から出射した複数の光束の夫々の主光線の前記主走査絞りにおける通過位置は、主走査方向において互いに異なることを特徴とする光走査装置。
【請求項２】
前記主走査絞りは主走査方向において光束に接する端部を含み、該端部は前記入射光学系の光軸の方向から見たとき副走査方向に対して非平行であることを特徴とする請求項１に記載の光走査装置。
【請求項３】
前記複数の発光点のうち最も離れた二つの発光点を通る直線が主走査方向に対してなす角度と、前記光軸の方向から見たとき前記端部が副走査方向に対してなす角度とは、同符号であることを特徴とする請求項２に記載の光走査装置。
【請求項４】
前記光軸の方向から見たとき前記端部が副走査方向に対してなす角度の絶対値は、０度より大きく、６０度以下であることを特徴とする請求項２又は３に記載の光走査装置。
【請求項５】
副走査方向から見たとき前記光源から出射した第１の主光線が前記主走査絞りの位置で前記光軸に対してなす角度と、前記第１の主光線の前記偏向器における入射位置の、前記光軸の方向から見たとき前記端部が副走査方向に対して平行である場合に対する主走査方向でのシフト量とは、異符号であることを特徴とする請求項２乃至４の何れか一項に記載の光走査装置。
【請求項６】
副走査方向から見たとき前記光源から出射した第１の重心光線が前記主走査絞りの位置で前記光軸に対してなす角度と、前記第１の重心光線の前記偏向器における入射位置の、前記光軸の方向から見たとき前記端部が副走査方向に対して平行である場合に対する主走査方向でのシフト量とは、異符号であることを特徴とする請求項２乃至５の何れか一項に記載の光走査装置。
【請求項７】
前記光軸の方向から見たとき前記端部が副走査方向に対してなす角度をθａｐとするとき、前記結像光学系により形成される集光点のデフォーカスによる位置ずれ量は、ｔａｎ（θａｐ）に比例して変化することを特徴とする請求項２乃至６の何れか一項に記載の光走査装置。
【請求項８】
前記端部は、階段形状を有することを特徴とする請求項２乃至７の何れか一項に記載の光走査装置。
【請求項９】
前記入射光学系は、該入射光学系の光軸の方向において互いに異なる位置に配置される第１及び第２の主走査絞りを有することを特徴とする請求項１乃至８の何れか一項に記載の光走査装置。
【請求項１０】
前記光源は、ＶＣＳＥＬであることを特徴とする請求項１乃至９の何れか一項に記載の光走査装置。
【請求項１１】
請求項１乃至１０の何れか一項に記載の光走査装置と、該光走査装置によって前記被走査面に形成された静電潜像をトナー像として現像する現像器と、現像された前記トナー像を被転写材に転写する転写器と、転写された前記トナー像を前記被転写材に定着させる定着器とを備えることを特徴とする画像形成装置。
【請求項１２】
請求項１乃至１０の何れか一項に記載の光走査装置と、外部機器から出力されたコードデータを画像信号に変換して前記光走査装置に入力するプリンタコントローラとを備えることを特徴とする画像形成装置。
【手続補正２】
【補正対象書類名】明細書
【補正対象項目名】０００７
【補正方法】変更
【補正の内容】
【０００７】
本発明に係る光走査装置は、複数の発光点を有する光源と、光源からの光束を偏向して被走査面を主走査方向に走査する偏向器と、光源からの光束を偏向器に入射させる入射光学系と、偏向器によって偏向された光束を被走査面に導光する結像光学系とを備え、入射光学系は、光束を主走査方向において制限する主走査絞りと、主走査絞りとは異なる位置に配置され、光束を副走査方向において制限する副走査絞りとを有し、複数の発光点から出射した複数の光束の夫々の主光線の主走査絞りにおける通過位置は、主走査方向において互いに異なることを特徴とする。
【手続補正３】
【補正対象書類名】明細書
【補正対象項目名】００４８
【補正方法】変更
【補正の内容】
【００４８】
上述の通り、従来の光走査装置の主走査絞り２０５は、ｚ軸に平行なｙ方向側端部２０５ａ及び２０５ｂを備えている。
ここで、ｙ方向側端部とは、絞りの光束が通過する側、すなわち絞りに設けられた開口の主走査端部であり、絞りの光束が通過する側、すなわち絞りに設けられた開口の主走査方向における端部を意味している。換言すると、ｙ方向側端部とは、絞りにおいて主走査方向における光束に接する端部である。
そのため、図４（ａ）に示されているように、主光線２００ａ、２００ｂ及び２００ｃは、主走査絞り２０５においてｙ＝０の位置を通過する。なお、主走査絞り２０５において、主光線２００ａ、２００ｂ及び２００ｃがそれぞれｚ軸方向において異なる位置を通過しているのは、副走査絞り１０２と主走査絞り２０５とが離間して配置されているためである。
【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
フォーカスレンズのフォーカス制御を行うフォーカス制御装置と、
一つの操作ボタンからの指示信号を受けて、前記フォーカス制御装置によるオートフォーカス動作の制御を行う制御部と、
を備える撮像装置であって、
前記制御部は、前記操作ボタンからの指示信号を受けて、前記フォーカス制御装置に対して複数回のオートフォーカス動作の設定が可能であり、
第一回目のオートフォーカス動作では、撮影映像の画面全体を、ピント合わせを行うオートフォーカス領域としてフォーカス動作を行い、
所定の条件に応じて設定する第二回目のオートフォーカス動作では、前記撮影映像の画面よりも小さい領域をオートフォーカス領域としてフォーカス動作を行う
ことを特徴とする撮像装置。
【請求項２】
前記制御部は、前記第一回目のオートフォーカス動作の完了時から、前記操作ボタンから指示信号が発生するまでの時間が、あらかじめ設定した一定時間よりも短かいことを前記所定の条件として前記第二回目のオートフォーカス動作を設定する
ことを特徴とする請求項１に記載の撮像装置。
【請求項３】
前記制御部は、前記第一回目のオートフォーカス動作では、前記撮影映像の画面を複数の領域に分割し、その分割した複数の領域全てのコントラスト値の和のピーク位置に前記フォーカスレンズを移動させることによってフォーカス動作を行う
ことを特徴とする請求項２に記載の撮像装置。
【請求項４】
前記制御部は、前記第二回目のオートフォーカス動作では、前記第一回目のオートフォーカス動作の完了時の前記フォーカスレンズの位置と、前記第一回目のオートフォーカス動作中に得た前記複数の領域のそれぞれのコントラスト値がピークとなる前記フォーカスレンズの位置との間の距離が所定距離よりも近い領域を除き、その除いた領域以外の領域のコントラスト値の和のピーク位置に前記フォーカスレンズを移動させることによってフォーカス動作を行う
ことを特徴とする請求項３に記載の撮像装置。
【請求項５】
前記制御部は、前記第一回目のオートフォーカス動作の完了時から、前記操作ボタンから指示信号が発生するまでに前記一定時間が経過した場合には、前記第一回目のオートフォーカス動作によってオートフォーカス動作を行う
ことを特徴とする請求項２に記載の撮像装置。
【請求項６】
前記制御部は、前記撮影映像の画面全体のコントラスト値が一定の値以下の場合には、前記第一回目のオートフォーカス動作によってオートフォーカス動作を行う
ことを特徴とする請求項１に記載の撮像装置。
【請求項７】
前記制御部は、前記第二回目のオートフォーカス動作の完了後に前記操作ボタンから指示信号が発生したときは、前記第一回目のオートフォーカス動作によってオートフォーカス動作を行う
ことを特徴とする請求項１に記載の撮像装置。
【請求項８】
フォーカスレンズのフォーカス制御を行うフォーカス制御装置を備える撮像装置において、
一つの操作ボタンからの指示信号を受けて、前記フォーカス制御装置に対して複数回のオートフォーカス動作の設定が可能であり、
第一回目のオートフォーカス動作では、撮影映像の画面全体を、ピント合わせを行うオートフォーカス領域としてフォーカス動作を行い、
所定の条件に応じて設定する第二回目のオートフォーカス動作では、前記撮影映像の画面よりも小さい領域をオートフォーカス領域としてフォーカス動作を行う
ことを特徴とする撮像方法。
【請求項９】
フォーカスレンズのフォーカス制御を行うフォーカス制御装置であって、
一つの操作ボタンからの指示信号を受けて、複数回のオートフォーカス動作が可能であり、
第一回目のオートフォーカス動作では、撮影映像の画面全体を、ピント合わせを行うオートフォーカス領域としてフォーカス動作を行い、
所定の条件に応じて設定する第二回目のオートフォーカス動作では、前記撮影映像の画面よりも小さい領域をオートフォーカス領域としてフォーカス動作を行う
ことを特徴とするフォーカス制御装置。
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
ベースと、前記ベースに固定された光学素子と、前記光学素子をベースに固定する保持部材と、を有する光学ユニットであって、
前記光学素子は、
前記光学素子の側面に開口する穴と、
前記光学素子の底面または前記ベースに設けられた突起状部と、を有し、
前記保持部材によって前記穴の内面が前記ベースに向けて押圧され、
前記光学素子が前記ベースに固定されていることを特徴とする光学ユニット。
【請求項２】
前記保持部材は、押圧部を有し、前記押圧部で前記穴の内面が押圧されていることを特徴とする請求項１記載の光学ユニット。
【請求項３】
前記穴を２つ有し、前記押圧部を３つ有することを特徴とする請求項２記載の光学ユニット。
【請求項４】
前記保持部材は、ボルトであって、前記ボルトは、前記ベースの裏面から前記突起状部の中心部を通って前記穴まであけられたボルト穴と嵌合されていることを特徴とする請求項１記載の光学ユニット。
【請求項５】
前記穴を２つ有し、前記ボルト穴を３つ有することを特徴とする請求項４記載の光学ユニット。
【請求項６】
前記光学素子の上面には回折格子が形成されていることを特徴とする請求項１乃至５いずれか１項記載の光学ユニット。
【請求項７】
前記光学素子の上面には複数のミラー面を有するミラーアレイが形成されていることを特徴とする請求項１乃至５いずれか１項記載の光学ユニット。
【請求項８】
前記光学素子は、低熱膨張インバー材であることを特徴とする請求項１乃至７いずれか１項記載の光学ユニット。
【請求項９】
前記光学素子は、アルミニウム合金を含む材料であることを特徴とする請求項１乃至７いずれか１項記載の光学ユニット。
【請求項１０】
ベースに固定された部材を加工して光学素子を製造する光学素子の製造方法であって、
前記部材は、
前記部材の側面に開口する穴と、
前記部材の底面または前記ベースに設けられた突起状部と、を有し、
保持部材によって前記穴の内面が前記ベースに向けて押圧され、前記ベースに固定されている前記部材を加工して光学素子を製造することを特徴とする光学素子の製造方法。
【請求項１１】
前記保持部材は、押圧部を有し、前記押圧部で前記穴の内面が押圧されていることを特徴とする請求項１０記載の光学素子の製造方法。
【請求項１２】
前記穴を２つ有し、前記押圧部を３つ有することを特徴とする請求項１１記載の光学素子の製造方法。
【請求項１３】
前記保持部材は、ボルトであって、前記ボルトは、前記ベースの裏面から前記突起状部の中心部を通って前記穴まであけられたボルト穴と嵌合されていることを特徴とする請求項１０記載の光学素子の製造方法。
【請求項１４】
前記穴を２つ有し、前記ボルト穴を３つ有することを特徴とする請求項１３記載の光学素子の製造方法。
【請求項１５】
前記加工は、前記部材の上面に回折格子を形成することを特徴とする請求項１０乃至１４いずれか１項記載の光学素子の製造方法。
【請求項１６】
前記加工は、前記部材の上面に複数のミラー面を有するミラーアレイを形成することを特徴とする請求項１０乃至１４いずれか１項記載の光学素子の製造方法。
【請求項１７】
前記部材は、低熱膨張インバー材であることを特徴とする請求項１０乃至１６いずれか１項記載の光学素子の製造方法。
【請求項１８】
前記部材は、アルミニウム合金を含む材料であることを特徴とする請求項１０乃至１６いずれか１項記載の光学素子の製造方法。
【手続補正２】
【補正対象書類名】明細書
【補正対象項目名】発明の名称
【補正方法】変更
【補正の内容】
【発明の名称】光学ユニットおよび光学素子の製造方法
【手続補正３】
【補正対象書類名】明細書
【補正対象項目名】０００９
【補正方法】変更
【補正の内容】
【０００９】
本発明の光学素子の製造方法は、ベースに固定された部材を加工して光学素子を製造する光学素子の製造方法であって、前記部材は、前記部材の側面に開口する穴と、前記部材の底面または前記ベースに設けられた突起状部と、を有し、保持部材によって前記穴の内面が前記ベースに向けて押圧され、前記ベースに固定されている前記部材を加工して光学素子を製造することを特徴とする。
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
トナー及びキャリアを含む現像剤を担持する現像回転体であって、前記現像回転体と像担持体とが対向する現像領域に現像剤を搬送する前記現像回転体と、
前記現像回転体の回転軸線の鉛直方向下方に設けられ、前記現像回転体に現像剤を供給する第１室と、
前記現像回転体に対向して設けられ、前記現像領域を通過した現像剤を回収する第２室と、
前記第１室と前記第２室とを隔てる隔壁部と、
前記第１室の現像剤が前記第１室から前記第２室に受け渡されることを許容するように前記第１室と前記第２室とを連通する第１連通部と、
前記第２室の現像剤が前記第２室から前記第１室に受け渡されることを許容するように前記第１室と前記第２室とを連通する第２連通部と、
前記第１室に配置され、前記第１室の現像剤を第１の方向に搬送する第１搬送スクリュと、
前記第２室に配置され、前記第２室の現像剤を前記第１の方向とは反対の第２の方向に搬送する第２搬送スクリュと、
前記現像回転体に対向するように前記隔壁部に設けられ、前記現像領域を通過した現像剤を前記第２室に案内する現像剤案内部と、を備え、
前記現像剤案内部は、前記第２の方向に関して前記第１連通部と前記第２連通部との間の範囲に設けられた第１案内部と、前記第２連通部の鉛直方向上方に設けられ、鉛直方向に見て前記第２の方向における前記第２連通部の全体を含む範囲に亘って設けられた第２案内部と、を有し、
前記現像回転体の回転軸線に直交する断面で現像装置を見たとき、前記第２案内部の一端部は、前記現像回転体から所定の距離をあけた状態で、前記隔壁部の最上部よりも鉛直方向上方に配置され、前記第２案内部の他端部は、前記第２搬送スクリュとの間に所定の間隙を挟んだ状態で、前記第２搬送スクリュの回転軸線よりも鉛直方向上方且つ前記第２搬送スクリュの最上部よりも鉛直方向下方に配置されている、
ことを特徴とする現像装置。
【請求項２】
前記現像回転体の前記回転軸線に直交する断面で前記現像装置を見たとき、前記第２案内部の前記他端部は、鉛直方向に垂直な方向に関して、前記第２搬送スクリュの前記連通部に最も近接している部分と、前記第２搬送スクリュの回転軸線との間に位置する、
請求項１に記載の現像装置。
【請求項３】
前記第１案内部は、前記第２の方向に関して、前記第２連通部の上流側の端部位置より前記第２搬送スクリュの羽根部の１ピッチ分の長さ以上上流の位置から、前記第２連通部の上流側の前記端部位置までの範囲の全体に亘って設けられた第３案内部を含み、
前記現像回転体の回転軸線に直交する断面で前記現像装置を見たとき、前記第３案内部の一端部は、前記現像回転体から所定の距離をあけた状態で、前記隔壁部の最上部よりも鉛直方向上方に配置され、前記第３案内部の他端部は、前記第２搬送スクリュとの間に所定の間隙を挟んだ状態で、前記第２搬送スクリュの回転軸線よりも鉛直方向上方且つ前記第２搬送スクリュの最上部よりも鉛直方向下方に配置されている、
請求項１又は２に記載の現像装置。
【請求項４】
前記現像剤案内部は前記隔壁部と一体成形されている、
請求項１乃至３のいずれか１項に記載の現像装置。
【請求項５】
前記第２案内部の前記第２搬送スクリュに対向する対向面は、前記第２搬送スクリュの周方向に沿った円弧状に形成されている、
請求項１乃至４のいずれか１項に記載の現像装置。
【手続補正２】
【補正対象書類名】明細書
【補正対象項目名】０００８
【補正方法】変更
【補正の内容】
【０００８】
本発明に係る現像装置は、トナー及びキャリアを含む現像剤を担持する現像回転体であって、前記現像回転体と像担持体とが対向する現像領域に現像剤を搬送する前記現像回転体と、前記現像回転体の回転軸線の鉛直方向下方に設けられ、前記現像回転体に現像剤を供給する第１室と、前記現像回転体に対向して設けられ、前記現像領域を通過した現像剤を回収する第２室と、前記第１室と前記第２室とを隔てる隔壁部と、前記第１室の現像剤が前記第１室から前記第２室に受け渡されることを許容するように前記第１室と前記第２室とを連通する第１連通部と、前記第２室の現像剤が前記第２室から前記第１室に受け渡されることを許容するように前記第１室と前記第２室とを連通する第２連通部と、前記第１室に配置され、前記第１室の現像剤を第１の方向に搬送する第１搬送スクリュと、前記第２室に配置され、前記第２室の現像剤を前記第１の方向とは反対の第２の方向に搬送する第２搬送スクリュと、前記現像回転体に対向するように前記隔壁部に設けられ、前記現像領域を通過した現像剤を前記第２室に案内する現像剤案内部と、を備え、前記現像剤案内部は、前記第２の方向に関して前記第１連通部と前記第２連通部との間の範囲に設けられた第１案内部と、前記第２連通部の鉛直方向上方に設けられ、鉛直方向に見て前記第２の方向における前記第２連通部の全体を含む範囲に亘って設けられた第２案内部と、を有し、前記現像回転体の回転軸線に直交する断面で現像装置を見たとき、前記第２案内部の一端部は、前記現像回転体から所定の距離をあけた状態で、前記隔壁部の最上部よりも鉛直方向上方に配置され、前記第２案内部の他端部は、前記第２搬送スクリュとの間に所定の間隙を挟んだ状態で、前記第２搬送スクリュの回転軸線よりも鉛直方向上方且つ前記第２搬送スクリュの最上部よりも鉛直方向下方に配置されている、ことを特徴とする。
【手続補正３】
【補正対象書類名】明細書
【補正対象項目名】００７１
【補正方法】変更
【補正の内容】
【００７１】
１…像担持体（感光ドラム）／８Ａ，８Ｂ，８Ｃ…現像剤案内部（傾斜部）／８ｃ…下端部／４１…現像容器／４１ａ…隔壁部／４１ｂ…第２連通部（受渡し部）／４１ｃ…第１連通部（受渡し部）／４２…第１搬送スクリュ（第１スクリュ）／４３…第２搬送スクリュ（第２スクリュ）／４３ｂ…羽根部／４４…現像回転体（現像スリーブ）／８１…傾斜面／８２…対向面／８ａ…第２案内部の一端部、第３案内部の一端部（傾斜部の上辺）／８ｃ…第２案内部の他端部（傾斜部の下端部）／Ｃｈ１…第１室（現像室）／Ｃｈ２…第２室（撹拌室）／Ｅ１，Ｅ３…延設部／Ｅ２，Ｅ４…下垂部
【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
それぞれ異なる色のトナー像を担持する複数の感光体と、
前記複数の感光体を露光するための光ビームを出射する複数の光源と、
前記複数の光源から出射された複数の光ビームがそれぞれ対応する感光体を走査するように前記複数の光ビームを偏向する回転多面鏡と、前記回転多面鏡を回転させるモータと、前記モータが取り付けられた基板と、を有する偏向手段と、
前記偏向手段によって偏向された前記複数の光ビームをそれぞれ対応する感光体に導く光学部材と、
前記偏向手段及び前記光学部材が設置される設置面と、前記設置面から立設し前記偏向手段及び前記光学部材を取り囲む第一の側壁と、前記第一の側壁を取り囲む第二の側壁と、を有する筐体と、
前記光ビームの走査方向において前記筐体に隣接して配置された熱源と、
前記第一の側壁と前記第二の側壁の間に設けられた温度検知手段と、
前記複数の感光体上のトナー像を記録紙に転写するための転写手段と、
前記温度検知手段の検知結果に基づいて前記複数の感光体から記録紙上に転写されるトナー像間の色ずれを補正する制御手段と、
を備え、
前記温度検知手段は、前記第二の側壁のうちの前記熱源と対向する部分と、前記第一の側壁のうち前記第二の側壁のうちの前記熱源と対向する部分と対向する部分と、の間に配置されていることを特徴とする画像形成装置。
【請求項２】
前記温度検知手段は、前記熱源による温度変化を検知することを特徴とする請求項１に記載の画像形成装置。
【請求項３】
前記温度検知手段は、前記偏向手段による温度変化及び前記画像形成装置の雰囲気温度の温度変化を検知することを特徴とする請求項２に記載の画像形成装置。
【請求項４】
前記熱源は、前記回転多面鏡に対して前記光源が設けられた側とは反対側に配置されることを特徴とする請求項１から請求項３のいずれか１項に記載の画像形成装置。
【請求項５】
前記第二の側壁には、前記温度検知手段の近傍に貫通する穴が設けられていることを特徴とする請求項１から請求項４のいずれか１項に記載の画像形成装置。
【請求項６】
前記熱源は、前記画像形成装置が画像形成動作を行っていないときに前記感光体を温めることを特徴とする請求項１から請求項５のいずれか１項に記載の画像形成装置。
【請求項７】
複数の前記感光体を備え、
前記光学部材は、複数のレンズ及び反射ミラーからなり、前記偏向手段によって偏向された光ビームを前記感光体に導くレンズ及び反射ミラーのうち、前記光ビームが最初に入射する２つの第１のレンズを有し、
前記偏向手段は、前記２つの第１のレンズの間に位置することを特徴とする請求項１から請求項６のいずれか１項に記載の画像形成装置。
【請求項８】
前記制御手段は、前記温度検知手段による検知結果に基づいて前記トナー像間の色ずれが補正されるように前記複数の光源の光ビームの出射タイミングを制御することを特徴とする請求項１から請求項７のいずれか１項に記載の画像形成装置。
【手続補正２】
【補正対象書類名】明細書
【補正対象項目名】０００９
【補正方法】変更
【補正の内容】
【０００９】
（１）それぞれ異なる色のトナー像を担持する複数の感光体と、前記複数の感光体を露光するための光ビームを出射する複数の光源と、前記複数の光源から出射された複数の光ビームがそれぞれ対応する感光体を走査するように前記複数の光ビームを偏向する回転多面鏡と、前記回転多面鏡を回転させるモータと、前記モータが取り付けられた基板と、を有する偏向手段と、前記偏向手段によって偏向された前記複数の光ビームをそれぞれ対応する感光体に導く光学部材と、前記偏向手段及び前記光学部材が設置される設置面と、前記設置面から立設し前記偏向手段及び前記光学部材を取り囲む第一の側壁と、前記第一の側壁を取り囲む第二の側壁と、を有する筐体と、前記光ビームの走査方向において前記筐体に隣接して配置された熱源と、前記第一の側壁と前記第二の側壁の間に設けられた温度検知手段と、前記複数の感光体上のトナー像を記録紙に転写するための転写手段と、前記温度検知手段の検知結果に基づいて前記複数の感光体から記録紙上に転写されるトナー像間の色ずれを補正する制御手段と、を備え、前記温度検知手段は、前記第二の側壁のうちの前記熱源と対向する部分と、前記第一の側壁のうち前記第二の側壁のうちの前記熱源と対向する部分と対向する部分と、の間に配置されていることを特徴とする画像形成装置。
【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
コンピュータに、
所定のストーリーに係る内容が印刷された読書の用に供する書籍であって、予め登録された書籍について、閲覧がなされていることを検出する処理と、
閲覧がなされていることが検出された対象書籍について、該書籍に対応するストーリーにおける閲覧中の進行位置を特定する処理と、
特定された前記閲覧中の進行位置に関連付けられた両眼立体視コンテンツの提示を開始する処理と、
を実行させるプログラム。
【請求項２】
前記両眼立体視コンテンツの提示対象であるユーザにより閲覧されている書籍を撮影した撮影画像を取得する処理をさらに前記コンピュータに実行させ、
取得された前記撮影画像に基づいて前記検出する処理及び前記特定する処理が行われる請求項１に記載のプログラム。
【請求項３】
前記予め登録された書籍は、所定のストーリーに係る内容を示す画像が印刷されたページを含み、
前記特定する処理において、前記撮影画像中の前記対象書籍の画像に基づき前記閲覧中の進行位置が特定される請求項２に記載のプログラム。
【請求項４】
前記予め登録された書籍は、少なくとも１つのコマを有するページを有する漫画を含み、
前記特定する処理において、前記撮影画像中に含まれる前記対象書籍のコマを認識することで、前記閲覧中の進行位置が特定される請求項２または３に記載のプログラム。
【請求項５】
前記予め登録された書籍の各々について定められた、該書籍に対応するストーリーにおける複数の進行位置が特定されたことに応じて、前記開始する処理において前記両眼立体視コンテンツの提示が開始される請求項１乃至４のいずれか１項に記載のプログラム。
【請求項６】
同一の進行位置が前記閲覧中の進行位置として特定された回数に応じて、前記開始する処理において提示する前記両眼立体視コンテンツが変更される請求項１乃至５のいずれか１項に記載のプログラム。
【請求項７】
開始される前記両眼立体視コンテンツは、前記対象書籍に対応するストーリーに基づいて提示内容の進行が制御されるコンテンツであって、前記閲覧中の進行位置に係る提示内容を含むコンテンツである請求項１乃至６のいずれか１項に記載のプログラム。
【請求項８】
前記対象書籍に対応するストーリーに基づいて進行制御が行われる前記両眼立体視コンテンツについて、描画を行う視点の基準位置を変更する処理をさらに前記コンピュータに実行させる請求項７に記載のプログラム。
【請求項９】
前記両眼立体視コンテンツの提示対象であるユーザが該コンテンツを観察している方向に応じて、該コンテンツを描画する視線方向を制御する処理をさらに前記コンピュータに実行させ、
前記変更する処理において、前記観察している方向の旋回に基づいて前記視点の基準位置が変更される請求項８に記載のプログラム。
【請求項１０】
開始される前記両眼立体視コンテンツは、前記対象書籍に対応するストーリーについて、前記対象書籍に印刷された内容に含まれない内容を含むコンテンツである請求項１乃至９のいずれか１項に記載のプログラム。
【請求項１１】
開始される前記両眼立体視コンテンツは、前記対象書籍に対応するストーリーの追体験を提供するコンテンツである請求項１乃至１０のいずれか１項に記載のプログラム。
【請求項１２】
請求項１乃至１１のいずれか１項に記載のプログラムを記録したコンピュータ読み取り可能な記録媒体。
【請求項１３】
所定のストーリーに係る内容が印刷された読書の用に供する書籍であって、予め登録された書籍について、閲覧がなされていることを検出する検出手段と、
閲覧がなされていることが前記検出手段により検出された対象書籍について、該書籍に対応するストーリーにおける閲覧中の進行位置を特定する特定手段と、
前記特定手段により特定された前記閲覧中の進行位置に関連付けられた両眼立体視コンテンツの提示を開始する制御手段と、
を有するコンテンツ提供装置。
【請求項１４】
所定のストーリーに係る内容が印刷された読書の用に供する書籍であって、予め登録された書籍について、閲覧がなされていることを検出する検出工程と、
閲覧がなされていることが前記検出工程において検出された対象書籍について、該書籍に対応するストーリーにおける閲覧中の進行位置を特定する特定工程と、
前記特定工程において特定された前記閲覧中の進行位置に関連付けられた両眼立体視コンテンツの提示を開始する制御工程と、
を有するコンテンツ提供装置の制御方法。